(57)【要約】【課題】  既存の書類ファイルに大きな変更を加えずに、確実にバインダーに綴じることを可能としたファイルセットを提供する。【解決手段】  可撓性と復元性を有する合成樹脂製の表側シートと裏側シートを重ね合わせ、少なくともシートの背側の端縁１１とそれに隣り合う端縁１２の２辺を閉塞して、表裏のシート間に書類を挟み込み可能とした書類ファイル１０と、複数の書類ファイルを綴じて収容可能としたバインダー１の組み合わせからなるファイルセットにおいて、複数個の薄板状の係止片２、３をバインダーの内面から突設すると共に、書類ファイルの背側の端縁１１に上記係止片を表裏のシート間に挿通して係止するための係止穴１５、１６を設ける。【選択図】      図１
0003147002.tif 000002
【実用新案登録請求の範囲】
【請求項１】
可撓性と復元性を有する合成樹脂製の表側シートと裏側シートを重ね合わせ、少なくともシートの背側の端縁とそれに隣り合う端縁の２辺を閉塞して、表裏のシート間に書類を挟み込み可能とした書類ファイルと、複数の書類ファイルを綴じて収容可能としたバインダーの組み合わせからなるファイルセットにおいて、複数個の薄板状の係止片をバインダーの内面から突設すると共に、書類ファイルの背側の端縁に上記係止片を表裏のシート間に挿通して係止するための係止穴を設けたことを特徴とするファイルセット。
【請求項２】
幅狭の首部の前方に先端に向かって収束する形状からなる幅広の顎部を連続させることにより、顎部下縁を係止段部とした薄板状の係止片と、表裏いずれかのシートに根元を残して舌片状に切り抜かれる切り抜きにして、開放した先端を書類ファイルの背側の端縁に接して配すると共に、残された根元を上記端縁より前側にオフセットして配した係止穴を有し、書類ファイルの背側の端縁に接して配される係止穴の先端の幅を係止片の首部の幅より広く、且つ顎部の幅より狭く設定すると共に、係止穴の根元の幅を係止片の顎部の幅より広く設定した請求項１記載のファイルセット。
【請求項３】
幅狭の首部の前方に先端に向かって収束する形状からなる幅広の顎部を連続させることにより、顎部下縁を係止段部とした薄板状の係止片と、表裏いずれかのシートに貫通してして切り欠かれる穴状の切り欠きにして、先端を書類ファイルの背側の端縁に接して配すると共に、後端を上記端縁より前側にオフセットして配した係止穴を有し、書類ファイルの背側の端縁に接して配される係止穴の先端の幅を係止片の首部の幅より広く、且つ顎部の幅より狭く設定すると共に、係止穴の後端の幅を係止片の顎部の幅より広く設定した請求項１記載のファイルセット。
【請求項４】
書類ファイルの開放した辺の少なくとも一つの辺に表裏のシートの端縁同士が開くことを防止するクリップを付属させた請求項１から３のいずれかに記載のファイルセット。
【請求項５】
可撓性と復元性を有する合成樹脂製のシートを２つ折りにして重ね合わせ、背折り部に隣り合う一方の端縁を溶着することにより、背側の端縁とそれに隣り合う端縁の２辺を閉塞した書類ファイルとした請求項１から４のいずれかに記載のファイルセット。
【考案の詳細な説明】
【技術分野】
【０００１】
この考案は、書類を挟み込んで収容するための書類ファイルと、この書類ファイルを綴じて収容可能としたバインダーの組み合わせからなるファイルセットに関する。
【背景技術】
【０００２】
図２１に示すように、透明または半透明の合成樹脂製のシートを２つ折りにして重ね合わせ、背折り部４１に隣り合う一方の端縁４２を溶着することにより、背側の端縁とそれに隣り合う端縁の２辺を閉塞し、表裏のシート４０Ａ、４０Ｂ間に書類Ｐを挟み込み可能とした書類ファイル４０が、「クリアフォルダー」、「クリアファイル」として広く使用されている（例えば特許文献１）。この種のファイルは、本来、それ単独で完結して使用することを前提としているものであり、３辺を閉塞した袋状でなく、前側の端縁と上側の端縁の２片を開放していることも相まって、ある程度の剛性を要し、比較的厚手の可撓性と復元性を有するシートにより構成される。
【０００３】
この場合、書類を収容したファイルの数が増えた場合は、それを手際よく整理しなくては収拾がつかなくなるおそれがあるので、ケースやキャビネットに入れて収容、整理するのが一般的である。
【０００４】
一方、複数の書類ファイルをバインダーに綴じて収容する考案も提案されており、特許文献２にはバインダーのリングに綴じ込み可能な突出片を書類ファイルの背側から突設したことを特徴とする考案が、同じく特許文献３にはバインダーの内面と書類ファイルの背側端縁に雌雄の面ファスナーを設けたことを特徴とする考案が開示されている。
【０００５】
【特許文献１】実用新案登録第３１３９０７６号公報
【特許文献２】特開２００８−１３２６４５公報
【特許文献３】特開２００８−１３６６３５公報
【考案の開示】
【考案が解決しようとする課題】
【０００６】
前記の従来技術中、書類ファイルをケースやキャビネットに入れて収容する場合、確実に収容できる反面、携帯性に欠け、また、バインダーのように本棚などに収容することが困難である問題がある。
【０００７】
次に、バインダーのリングに綴じ込み可能な突出片を書類ファイルの背側から突設する特許文献２に記載の考案は、書類ファイルをバインダーから外して単独で使用する際に突出片が邪魔になる問題がある。この場合、同文献に記載のように突出片を着脱自在とする場合は一々突出片を着脱しなくてはならない手間がかかり、また外した突出片を紛失するおそれもあった。
【０００８】
次に、バインダーの内面と書類ファイルの背側端縁に雌雄の面ファスナーを設ける特許文献３の考案は、比較的多くの書類を１つの書類ファイルに挟み込んで使用することが一般的な書類ファイルの使用法に照らした場合、重量が嵩んだ場合に問題が生ずるおそれがあった。すなわち、重量が嵩んだ書類ファイルを面ファスナーをもって確実にバインダーに係着するには書類ファイルの背側端縁の面ファスナーを幅広にしなくてはならず、それに対応して書類ファイルの厚みを大きくせざるを得ず、嵩張る問題があった。
【０００９】
また、書類ファイルをバインダーに綴じることを可能とした前記２つの考案においては、携帯性に富む反面、挟み込んだ書類が開放した２辺から携帯時に脱落するおそれがあった。
【課題を解決するための手段】
【００１０】
この考案は上記の従来技術の問題点に鑑みて創作されたものであり、既存の書類ファイルに大きな変更を加えずに、確実にバインダーに綴じることを可能としたファイルセットを提供することを目的する。
【００１１】
即ち、この考案のファイルセットは可撓性と復元性を有する合成樹脂製の表側シートと裏側シートを重ね合わせ、少なくともシートの背側の端縁とそれに隣り合う端縁の２辺を閉塞して、表裏のシート間に書類を挟み込み可能とした書類ファイルと、複数の書類ファイルを綴じて収容可能としたバインダーの組み合わせからなるファイルセットにおいて、複数個の薄板状の係止片をバインダーの内面から突設すると共に、書類ファイルの背側の端縁に上記係止片を表裏のシート間に挿通して係止するための係止穴を設けたことを特徴とする。
【００１２】
又、ここでは第２考案として、以上のファイルセットにおいて、幅狭の首部の前方に先端に向かって収束する形状からなる幅広の顎部を連続させることにより、顎部下縁を係止段部とした薄板状の係止片と、表裏いずれかのシートに根元を残して舌片状に切り抜かれる切り抜きにして、開放した先端を書類ファイルの背側の端縁に接して配すると共に、残された根元を上記端縁より前側にオフセットして配した係止穴を有し、書類ファイルの背側の端縁に接して配される係止穴の先端の幅を係止片の首部の幅より広く、且つ顎部の幅より狭く設定すると共に、係止穴の根元の幅を係止片の顎部の幅より広く設定したファイルセットも開示する。
【００１３】
又、ここでは第３考案として、以上のファイルセットにおいて、幅狭の首部の前方に先端に向かって収束する形状からなる幅広の顎部を連続させることにより、顎部下縁を係止段部とした薄板状の係止片と、表裏いずれかのシートに貫通してして切り欠かれる穴状の切り欠きにして、先端を書類ファイルの背側の端縁に接して配すると共に、後端を上記端縁より前側にオフセットして配した係止穴を有し、書類ファイルの背側の端縁に接して配される係止穴の先端の幅を係止片の首部の幅より広く、且つ顎部の幅より狭く設定すると共に、係止穴の後端の幅を係止片の顎部の幅より広く設定した考案も開示する。
【００１４】
又、ここでは第４考案として、以上のファイルセットにおいて、書類ファイルの開放した辺の少なくとも一つの辺に表裏のシートの端縁同士が開くことを防止するクリップを付属させたファイルセットも開示する。
【考案の効果】
【００１５】
以上の構成よりなるこの考案のファイルセットによれば、バインダーの内面から突設される薄板状の係止片と、書類ファイルの背側の端縁に設けられる係止穴との係止により書類ファイルをバインダーに綴じるので、書類ファイルをそれ単独で完結して使用することも、複数個を一つのバインダーに綴じて収容、整理することもでき、しかもバインダーごと携帯したり本棚に収容することも可能となる。
【００１６】
この場合、第４考案によれば書類ファイルの開放した辺に表裏のシートの端縁同士が開くことを防止するクリップを付属させるので、書類ファイルから書類が脱落することなく安心してバインダーを携帯することが可能となる。
【００１７】
一方、この考案においては可撓性と復元性を有する合成樹脂製のシートにより構成される書類ファイルがある程度の剛性を有することに着目し、背側の端縁に係止穴を設けることにより、バインダー側の係止片と係止させる構成としている。よって、書類ファイルに突部が生じたり、別部材を要することなく書類ファイルをバインダーに綴じることが可能となり、書類ファイルの既存の構成の変更は最小限で済むので、使用者に違和感を与えることなく、しかも低コストで、バインダーとそれに綴じ込み可能な書類ファイルからなるファイルセットが実現される。
【００１８】
この場合、第２考案によれば、シートに舌片状に切り抜かれる切り抜きをもって係止穴とし、書類ファイルの背側の端縁に位置する係止穴の先端に対し、上記端縁より前側にオフセットして位置する根元の幅を広くし、根元において係止片の顎部が通過可能としているので、裏側のシートの表面と係止穴の切り抜きにより生じる表側のシートの舌片の裏面の間から係止片を進入させて、根元において顎部を表裏のシート間に挿通した後に手前に引き戻せば、顎部下縁の係止段部が係止穴の外側の書類ファイルの背側の端縁に係止する作用が実現されることとなり、容易且つ確実な係止が可能となる。
【００１９】
また、第３考案によれば、シートに貫通して切り欠かれる穴状の切り欠きをもって係止穴とし、書類ファイルの背側の端縁に位置する係止穴の先端に対し、上記端縁より前側にオフセットして位置する後端の幅を広くし、後端において係止片の顎部が通過可能としているので、後端から係止片を表裏のシート間に挿通した後に手前に引き戻せば、顎部下縁の係止段部が係止穴の外側の書類ファイルの背側の端縁の内方に係止する作用が実現されることとなり、容易且つ確実な係止が可能となる。
【考案を実施するための最良の形態】
【００２０】
以下、この考案のファイルセットの具体的実施例を添付図面に基づいて説明する。図１〜図３はファイルセットの全体を示す図である。この考案のファイルセットは表裏のシート間に書類を挟み込み可能とした書類ファイル１０と、複数の書類ファイルを綴じて収容可能としたバインダー１の組み合わせからなる。
【００２１】
書類ファイル１０は可撓性と復元性を有する合成樹脂製の表側シートと裏側シートを重ね合わせ、少なくともシートの背側の端縁１１とそれに隣り合う端縁の２辺を閉塞して、表裏のシート間に書類を挟み込み可能とした構成よりなるが、この実施例においては合成樹脂製のシートを２つ折りにして表側シート１０Ａと裏側シート１０Ｂとして重ね合わせ、背折り部に隣り合う一方の端縁を溶着することにより、背側の端縁１１とそれに隣り合う下側の端縁１２の２辺を閉塞した構成としている。この考案の書類ファイル１０はそれ単独で完結して使用することを前提としているものであり、ある程度の剛性が要求され、比較的厚手の可撓性と復元性を有する合成樹脂製のシートにより構成される。この場合、シートの素材としては塩化ビニル系樹脂やポリオレフィン系樹脂が想定されるが、これらに限られないことはもちろんである。また、シートはこの実施例においては透明なものを例示するが不透明なものであってもよいことは勿論である。
【００２２】
前記の書類ファイル１０には、開放した前側の端縁１３において表裏のシート１０Ａ、１０Ｂ同士が開くことを防止するためにクリップが付属される（図２０参照）。図１８および１９はその詳細を示す図であり、図中符号２０はクリップを示す。このクリップは弾性を有する合成樹脂板を折り曲げて構成されるものであり、２つ折りした得られる表裏の支持板中の表側支持板２０Ｂの先端をさらに手前内方に折り曲げることにより先端が裏側支持板２０Ａに向かって附勢して接する圧接板２０Ｃとし、この圧接板２０Ｃと裏側支持板２０Ａとの間に書類ファイル１０の表裏のシート１０Ａ、１０Ｂを挟み込む。この場合、書類ファイル１０の表側のシート１０Ａの表面の端部には前記のクリップ２０の離脱を防ぐための突起１４が熱加工により突設される。なお、前記のクリップの構成はここに開示のものに限られず、また、書類ファイル１０の前側の端縁１３以外に上側の端縁にも付属させてもよいことはもちろんである。
【００２３】
バインダー１は、背１Ｂの両側に表裏の表紙１Ａ、１Ａが開閉自在に連続する構成よりなり、背１Ｂの内側には書類ファイル１０を係止により綴じるための複数個の薄板状の係止片１５が擺動自在に突設される（図３参照）。
【００２４】
前記の係止片はこの実施例においては背１Ｂの上下２箇所に設けられるものであり、図５〜図１５に下側の係止片３の詳細を図示する。この係止片３は剛性を有する合成樹脂により薄板状に構成されるものであり、幅狭の首部３Ａの前方に先端に向かって収束する形状からなる幅広の顎部３Ｂを連続させることにより、顎部下縁を係止段部３Ｃ、３Ｄとした構成よりなる。この実施例においては、顎部３Ｂを平面ドーム状に構成し、顎部下縁の左右に係止段部３Ｃ、３Ｄを設けることにより全体として茸状の形状としている。
【００２５】
一方、書類ファイル１０には前記の係止片に対応して係止穴が背側の端縁１１の上下２箇所に設けられるものであり、図５〜図１５に下側の係止穴１６の詳細を図示する。この係止穴１６は書類ファイル１０の表裏いずれかのシート（ここでは表側のシート１０Ａ）に根元１６Ａ、１６Ａを残して切り抜かれる舌片状の切り抜きにして、開放した先端１６Ｂを書類ファイルの背側の端縁１１に接して配すると共に、残された根元１６Ａ、１６Ａを上記端縁より前側にオフセットして配した構成よりなる。そして、書類ファイル１０の背側の端縁１１に接して配される係止穴１６の先端１６Ｂの幅を、係止片３の首部３Ａの幅より広く、且つ顎部３Ｂの幅より狭く設定すると共に、係止穴の根元１６Ａ、１６Ａの幅を係止片の顎部の幅より広く設定する。
【００２６】
前記の構成からなる係止片３および書類ファイル１０の係止穴１６の作用は次の通りである。
(1) 書類ファイル１０を係止片３によりバインダー１に綴じるには、書類ファイルの背側の端縁１１をバインダーの背１Ｂに向けて進行させ、裏側のシート１０Ｂの表面と係止穴１６の切り抜きにより生じる表側のシート１０Ａの舌片１０Ｃの裏面の間から係止片の顎部３Ｂを進入させる（図１、５〜６、９、１０〜１１参照）。
(2) この場合、係止片３の顎部３Ｂの幅は係止穴１６の根元１６Ａ、１６Ａの幅より狭いので、さらに進行させることにより顎部は舌片１０Ｃの裏面を越えて表側シート１０Ａの裏面と裏側のシート１０Ｂの表面との間に挿通されることとなり、その段階で書類ファイル１０を手前に引き戻せば、顎部３Ｂ下縁の係止段部３Ｃ、３Ｄが係止穴１６の外側の書類ファイルの背側の端縁１１の内方に係止することとなる（図２、７〜８、１２〜１５参照）。
【００２７】
図１６はバインダー１の背１Ｂの上側の係止片２と、これに対応して書類ファイル１０の背側の端縁１１の下側に設けられる係止穴１５の詳細を示す図である。これらの係止片および係止穴は前記した下側の係止片３および係止穴１６と同じ構成にしてもよいが、この実施例では書類ファイルのバインダーからの取り外しを容易にするために次の構成としている。
【００２８】
すなわち、ここでは係止片２において幅狭の首部２Ａの前方に先端に向かって収束する形状からなる幅広の顎部２Ｂを連続させることにより、顎部下縁に係止段部を設ける構成は下側の係止片３と共通するが、顎部を上方に偏位することにより係止段部２Ｃは上側のみに生じるようにしている。また、係止穴１５は書類ファイル１０の表裏いずれかのシート（ここでは表側のシート１０Ａ）に根元１５Ａ、１５Ａを残して切り抜かれる舌片１０Ｄ状の切り抜きにして、開放した先端１５Ｂを書類ファイルの背側の端縁１１に接して配する構成は下側の係止片２と共通するが、残された根元１５Ａ、１５Ａは上側が上記端縁より前側にオフセットして配されるが、下側は端縁に接して配される。その結果、この係止片２は上側においてのみ係止し、下側は係止しないこととなる。
【００２９】
前記の構成よりなる上側の係止片２および係止穴１５、下側の係止片３および係止穴１６は、書類ファイル１０のバインダー１からの取り外しが容易となる次の作用を生じる（図４、１７参照）。
(1) 先ず、書類ファイル１０を一旦上方にずらすことにより、下側の係止片３の下側の係止段部３Ｄの角と係止穴１６の下側の角とが当接する。一方、この場合、下側の係止片３の上側の係止段部３Ｃと係止穴１６の係止と、上側の係止片２の上側の係止段部２Ｃと係止穴１５の係止は、それぞれの顎部の上側に対して係止穴の上側の角が離隔するので緩くなる。また、上側の係止片２と係止穴１５はそもそも下側においては係止していない。
(2) そこで、下側の係止片３の下側の係止段部３Ｄの角と、係止穴１６の下側角との当接箇所を支点として書類ファイルをてこ状に手前に回転させれば、上側の係止片２と係止穴１５の下側は係止されていないことも相まって、係止が緩くなっている上下の係止片と係止穴の上側の係止は容易に解除される。
(3) この場合、図１７に示すように下側の係止片３の顎部１６Ｂは上半分以上が書類ファイル１０から離脱しているので、今度は書類ファイルを下方にずらしながら手前に回転させれば、下側の係止片３の顎部１６Ｂの下側の係止段部３Ｄと書類ファイルの背側の端縁１１の係止は容易に解除され、書類ファイルをバインダー１から取り外すことが可能となる。                                                                                  
【００３０】
図２０は係止穴の異なる実施例を示す図である。この実施例においては係止穴３６を舌片を残さずに、穴状の切り欠きとしているものであり、先端３６Ｂを書類ファイル１０の背側の端縁１１に接して配すると共に、後端３６Ａを上記端縁より前側にオフセットして配している。
【図面の簡単な説明】
【００３１】
【図１】この考案のファイルセットの綴じる前の一部切り欠き側面図。
【図２】この考案のファイルセットの綴じた状態の一部切り欠き側面図。
【図３】この考案のファイルセットの平面図。
【図４】この考案のファイルセットの綴じた状態を解除する仮定を示す一部切り欠き側面図。
【図５】この考案のファイルセットの要部の斜視図。
【図６】この考案のファイルセットの要部の斜視図。
【図７】この考案のファイルセットの要部の斜視図。
【図８】この考案のファイルセットの要部の斜視図。
【図９】この考案のファイルセットの要部の反対方向から観察した斜視図。
【図１０】この考案のファイルセットの要部の断面図。
【図１１】この考案のファイルセットの要部の断面図。
【図１２】この考案のファイルセットの要部の断面図。
【図１３】この考案のファイルセットの要部の断面図。
【図１４】この考案のファイルセットの要部の断面図。
【図１５】この考案のファイルセットの要部の断面図。
【図１６】この考案のファイルセットの要部の斜視図。
【図１７】この考案のファイルセットの要部の斜視図。
【図１８】この考案のファイルセットの要部の斜視図。
【図１９】この考案のファイルセットの要部の斜視図。
【図２０】この考案のファイルセットの異なる実施例の要部の斜視図。
【図２１】従来技術の書類ファイルの斜視図。
【符号の説明】
【００３２】
１      バインダー
２      上側の係止片
２Ａ    （上側の係止片の）首部
２Ｂ    （上側の係止片の）顎部
３      下側の係止片
３Ａ    （下側の係止片の）首部
３Ｂ    （下側の係止片の）顎部
１０    書類ファイル
１１    （書類ファイルの）背側の端縁
１５    上側の係止穴
１６    下側の係止穴
２０    クリップ
【図１】
0003147002.tif 000003
【図２】
0003147002.tif 000004
【図３】
0003147002.tif 000005
【図４】
0003147002.tif 000006
【図５】
0003147002.tif 000007
【図６】
0003147002.tif 000008
【図７】
0003147002.tif 000009
【図８】
0003147002.tif 000010
【図９】
0003147002.tif 000011
【図１０】
0003147002.tif 000012
【図１１】
0003147002.tif 000013
【図１２】
0003147002.tif 000014
【図１３】
0003147002.tif 000015
【図１４】
0003147002.tif 000016
【図１５】
0003147002.tif 000017
【図１６】
0003147002.tif 000018
【図１７】
0003147002.tif 000019
【図１８】
0003147002.tif 000020
【図１９】
0003147002.tif 000021
【図２０】
0003147002.tif 000022
【図２１】
0003147002.tif 000023